(57)【要約】【課題】集合住宅やオフィス、遊戯室等に使用される二重床に関し、施工品質の安定化、施工性の向上及び遮音性能の一層の向上を図る二重床の端部構造を提供する。【解決手段】床下地材（１）及び仕上げ材（３）を有し、基盤（１０）上に支持脚（４）を介して設置する二重床の端部と、基盤（１０）より立ち上がる垂直部材（２０）とを固定するための構造であって、床下地材（１）の縁部に先端片５ａを下向きにした第１固定具（５）を固定し、垂直部材（２０）には前記第１固定具に対向し、隙間を保って係止片６ａを備えた第２固定具（６）を固定し、前記第１固定具（５）の先端片５ａと第２固定具（６）の係止片６ａとを嵌め合わせた二重床の端部構造。【選択図】図７
2006090035.tif 000002
【特許請求の範囲】
【請求項１】
床下地材（１）及び仕上げ材（３）を有し、基盤（１０）上に支持脚（４）を介して設置する二重床の端部と、基盤（１０）より立ち上がる垂直部材（２０）とを固定するための構造であって、床下地材（１）の縁部に先端片５ａを下向きにした第１固定具（５）を固定し、垂直部材（２０）には前記第１固定具に対向し、隙間を保って係止片６ａを備えた第２固定具（６）を固定し、前記第１固定具（５）の先端片５ａと第２固定具（６）の係止片６ａとを嵌め合わせたことを特徴とする二重床の端部構造。
【請求項２】
前記第１固定具（５）の先端片５ａと第２固定具（６）の係止片６ａとは防振材（９）を挟んで嵌め合わせた請求項１記載の二重床の端部構造。
【請求項３】
床下地材（１）と仕上げ材（３）との間に捨て板（２）を介在させた請求項１又は２記載の二重床の端部構造。
【請求項４】
捨て板（２）に第１固定具（５）を取り付けるための切り欠き部を設けた請求項２乃至３いずれか１項に記載の二重床の端部構造。
【請求項５】
防振材（００）が第１固定具（５）の先端片５ａの両面に介在する請求項１乃至４いずれか１項に記載の二重床の端部構造。
【発明の詳細な説明】
【技術分野】
【０００１】
本発明は、二重床の端部と基盤の垂直部材とを固定する構造に関するものであり、特に言えば、集合住宅やオフィス及び遊戯室等に用いられる二重床端部の連結構造に関するものである。
【背景技術】
【０００２】
従来の連結構造は、垂直部材に際ネダを設置し、床部材を固定することで二重床の弾力性による床の沈み防止、これによる端部同士のこすれによる床なりの防止、更には木質床材の乾燥収縮による垂直部村との隙間発生の防止を図っていた。
【０００３】
即ち、図１０に示すように、二重床は、支持脚４が取り付けられた床下地材１の上に捨て板２及び仕上げ材３が積層された構造となっているが、基盤１０上の垂直部材２０に隣接する端部においては床下地材１が存在せず、際ネダ３０の上に捨て板２及び仕上げ材３が積層され、捨て板２と際ネダ３０との間が釘等で固定される（特許文献１）。
【０００４】
【特許文献１】特開２０００−３０３６６５号公報
【０００５】
しかしながら、際ネダを使用した端部構造では、際ネダ材料であるムク材の収縮によって際ネダが変形したりヤセたりすることがあり、二重床の設置後半年程で捨て板や仕上げ材と際ネダとの取り合い部間に問題が生ずる場合があった。即ち、二重床の沈み込み、これによる二重床と垂直部材との擦れによる床鳴り、二重床と垂直部材との隙間の発生等の問題が懸念されるのである。
【０００６】
また、際ネダは生材を建築現場合わせで取り付けるため、取り付け精度が悪い場合や垂直部材との一体化の度合いにばらつきが多い場合があり、二重床の施工時に際ネダの取り付けをやり直すこともある。更に、際ネダの使用によって床衝撃音遮断性能に悪影響を与えることもある。
【０００７】
そして、このような問題は、捨て板のない二重床でも存在する。即ち、図１１に示すように、捨て板のない二重床の場合、支持脚４の上に受け材８が取り付けられ、この受け材８の上に床下地材１が配置されるが、端部では、床下地材１と際ネダ３０との間が釘等で固定される。したがって、際ネダを使用する限り、上記の問題が発生するのである。
【発明の開示】
【発明が解決しようとする課題】
【０００８】
そこで本発明は、主に集合住宅やオフィス、遊戯室等に使用される二重床に関し、施工品質の安定化、施工性の向上及び遮音性能の一層の向上を図ることができる二重床の端部構造を提供することを目的とするものである。
【課題を解決するための手段】
【０００９】
本発明の要旨は、床下地材（１）及び仕上げ材（３）を有し、基盤（１０）上に支持脚（４）を介して設置する二重床の端部と、基盤（１０）より立ち上がる垂直部材（２０）とを固定するための構造であって、床下地材（１）の縁部に隙間を保って先端片を下向きにした第１固定具（５）を固定し、垂直部材（２０）には前記第１固定具（５）に対向し、隙間を保って先端片を上向きにした第２固定具（６）を固定し、前記第１固定具（５）の先端片と第２固定具（６）の先端片とを、好ましくは防振材（９）を挟んで嵌め合わせた二重床の端部構造に係るものである。
【００１０】
そして、通常は床下地材（１）と仕上げ材（３）との間に捨て板（２）を介在させた二重床であり、これには、第１固定具（５）を取り付けるための切り欠き部を設けるのがよい。
【００１１】
尚、防振材（９）を用いる場合には、第１固定具（５）の先端片の両面に介在させるのが最も好ましい構造である。
【発明の効果】
【００１２】
本発明の二重床の端部構造は、床下地材及び仕上げ材を有し、基盤上に支持脚を介して設置する二重床の端部と、基盤より立ち上がる垂直部材とを固定するための構造であり、先端片が下向きの第１固定具と、係止片を備えた第２固定具との先端片と係止片とを嵌め合わせる際に、好ましくは防振材を介して嵌め合わせた端部構造としたので、主に集合住宅やオフィス、遊戯室等に使用される二重床に関し、施工品質の安定化、施工性の向上及び遮音性能の一層の向上を図ることができる。
【発明を実施するための最良の形態】
【００１３】
本発明は居住時に発生する床の振動を、床と垂直部材との防振構造により絶縁し遮音性能を向上させるものである。更に床の収縮による隙間の防止、床の端部の沈み防止及び床鳴りの防止機能を付加するものであって、具体的には、本発明の二重床は、床下地材及び仕上げ材を有し、基盤上に支持脚を介して設置されるものである。そして、この二重床の端部は、基盤より立ち上がる垂直部材に固定される端部構造に関するもので、第１固定具と第２固定具とを夫々床下地材と垂直部材との間をビス等で固定する。
【００１４】
特に第１固定具における下向きの先端片と、第２固定具の係止片とを、好ましくは防振材を介して嵌め合わせる構造である。このように、本発明の二重床の端部構造は、従来の構造のような際ネダを使用しない構造であって、従って、木質生材である際ネダのような変形（狂い）がなく、位置決めが容易で、大工技能による品質のばらつきが少なく、しかも、施工後に床鳴り等の問題が発生することもないのである。
【００１５】
第１及び第２固定具は金属製であっても樹脂製であってもよく、特に限定するものではない。場合によっては、これ自身が防振性を備えた性状のゴム製や樹脂製のものであってもよい。更には、固定具全体として一体型のものであってもよいが、部分的に別の材料にて構成される場合もあり、例えば、取り付け部は金属製或いは硬質の樹脂製であり、先端片は防振性を備えた比較的弾性のある樹脂材であってもよい。
【００１６】
第１及び第２固定具の長さは、二重床の端部の全長と同一にすることもできるが、床下地材と垂直部材とを全面的に固定すると、床衝撃音遮断性能に悪影響を及ぼすことが懸念される。そこで、これらを二重床の端部に間隔をもって取り付け、部分的な設置にすることが好ましい。勿論、部分設置のほうが施工性もよく、防振効果上からも好ましい。
【００１７】
第１及び第２固定具に挟まれて用いられる防振材はゴム弾性体や軟質樹脂材や樹脂発泡材が好んで用いられ、場合によっては織布或いは不織布も用いられる。勿論、これらの複合体であってもよく、例えば、内部に繊維層が埋設されたゴム弾性体であってもよい。尚、材質的には両者の先端片と係止片とに挟まれて使用に供された際、水平方向には硬く、垂直方向に柔らかな性状のものが望まれる。これらは、通常は予め第１或いは第２固定具の先端片或いは係止片に接着させておくのがよいが、非接着で嵌め込み式のものであってもよい。
【００１８】
尚、床下地材と仕上げ材との間には、通常、捨て板を介在させるが、床下地材の上面に第１固定具を取り付けると、この部分には捨て板が配置できなくなる。従って、この場合には、床下地材の上面部分位置する第１固定具の取り付け部の厚さは、床下地材と仕上げ材との間に介在する捨て板の厚さ以下になるようにすることが好ましい。
【００１９】
本発明の二重床の端部構造は捨て板がない床工法にも適用できるものであり、その場合は、床下地材に直接仕上げ材が固定されることとなるが、この場合にも、第１固定具が床の表面に露出しないようにすべきである。この場合、床下地材に、第１固定具の取り付け部に対して切欠きを設けるのが望ましい。
【００２０】
床下地材の縁部に第１固定具が固定されるが、この固定部位は床下地材の縁部を切り欠き、この切り欠いた部位に固定する場合もあり、その固定される位置は特に限定されるものではない。
【実施例１】
【００２１】
以下、本発明の好ましい実施の形態の具体例を図面に基づいて説明する。図１は、本発明の二重床の端部構造の実施例１を示す主要部の縦断面図、図２はその斜視図、図３はその平面図である。図１に示すように、コンクリートの基盤１０には木質材からなる垂直部材２０が設置されている。そして、垂直部材２０に沿って支持脚４が取り付けられた床下地材１が配置され、床下地材１の上に捨て板２及び仕上げ材３が順に積層されて二重床を構成している。
【００２２】
このような二重床の端部は、垂直部材２０に固定されることとなるが、図１及び図２に示す実施例１では、図４に示す金属製の断面Ｌ字形のアングル材（第１固定具）５が、床下地材１の上面にビス７にて固定される。かかる固定に際し、第１固定具５の下向きの先端片５ａは床下地材１の縁部よりも間隔をもって固定される。この第１固定具５は図２に示すように床下地材１の縁部に一定のピッチで点設置された例であるが、これが床下地材１の縁部を全て覆うような長尺体としてもよいことは勿論である。そして、床下地材１の上面部分の第１固定具５の厚さは、捨て板２の厚さよりも薄くなっている。
【００２３】
一方、垂直部材２０には上記第１固定具５に対応して図４に示す金属製の断面Ｚ字形のアングル材（第２固定具）６がビス７にて固定される。勿論、係止片６ａは垂直部材２０よりも間隔をもって立ち上がるようにされる。この第２固定具６の長さも第１固定具５にて説明したように長尺とされたものであってもよい。そして、両者の先端片５ａ、６ａを嵌め合わせてなるものであり、この例では先端片５ａ、６ａ間に防振材９としてゴム弾性体９ａ、９ｂを挟んだ状態で嵌め合わせたものである。尚、ゴム弾性体９ａ、９ｂの形状は任意であり、この例では二枚のプレ−トをもって示した。
【００２４】
本発明の二重床の端部構造の施工手順の一例を説明する。最初に、ビス７を用いて垂直部材２０に第２固定具６を取り付けておく。次に、床下地材１に第１固定具５をビス７にて固定する。この例では、第１固定具５の先端片５ａの両面にゴム弾性体９ａ、９ｂを接着させておき、第２固定具６の係止片６ａと第１固定具５の下向きの先端片５ａとの嵌め合わせて固定が完成するものである。その後、床下地材１の上に捨て板２を積層し、仕上げ材３を配置して二重床となる。符号２ａは第１固定具５の取り付け部５ａとの干渉を避けるために構成された切り欠き部である。
【００２５】
尚、符号１１は第１固定具５の浮き上がりを防止するために備えられた浮き抑えアングル材であり、この例では先端片５ａの上部に好ましくは緩衝材１１ａを介してビス７にて垂直部材２０に固定されたものである。これによって床の縁部の浮き上がりが阻止されることになる。
【実施例２】
【００２６】
図５は、本発明の二重床の端部構造の実施例２を示す断面図であり、図６は各固定具の斜視図である。即ち、実施例２は前記した実施例１に対し第２固定部６を垂直方向にチャンネル構造としたものであり、溝部６ｂをなす部位が係止片６ａを構成する。このように、第２固定部６は第１固定部５の先端片５ａに対して溝部６ｂをなしていてもよく、この溝部６ｂ内に嵌め合わされるものであってもよい。この例における第２固定部６は、その左右に伸びる翼片６ｃ、６ｃをもって垂直部材２０に固定することになる。
【００２７】
図にあって、防振材９は第１固定具５の先端片５ａの周囲を囲んだゴム弾性体よりなっており、図示しない型内に先端片５ａをセットし、型内に充填した未加硫ゴムの加硫時の接着性を利用して一体化してある例である。
【００２８】
この例でも分かるように、第１固定具５と第２固定具６とはその形状は多くの変形形状があり、例えば、この例で示した第２固定具６を第１固定具５として床下地材１の縁部に固定し、第１固定具５をその先端片５ａを上向きとして第２固定具６として垂直部材２０に固定するものであってもよい。
【実施例３】
【００２９】
図７は、本発明の二重床の端部構造の実施例３を示す断面図である。即ち、この例では第１固定具５及び第２固定具６は前例のものを使用するが、第１固定具５の先端片５ａには前例にて説明したように防振材９が加硫接着されており、防振材９の上部にテ−パ−部９Ｃを形成し、垂直部材２０にビス等で固定している。即ち、垂直部材２０に固定された防振材９Ｃ部が固定部材５の上方方向へ動きを抑制し、ここに床の浮き上がりを防止することができたものである。
【００３０】
尚、防振材９は第１固定具５と加硫接着されていなくともよく、嵌め合わせた構造であってもよい。図８はこの防振材９の例を示したものであり、長尺の防振材９を例えば押出成形によって製造し、これを任意の長さに切断したものを用いることができる。
【００３１】
この防振材９について更に説明すれば、９ｓは第１固定具５の先端片５ａが横方向よりスライド挿入される隙間であり、９ｔは第２固定具６の係止片６ａが差し込まれる隙間である。隙間９ｓに第１固定具５の先端片５ａが挿入され、隙間９ｔに第２固定具６の係止片６ａが差し込まれることにより防振材の機能が発揮されることになる。
【００３２】
第３実施例における二重床の端部構造の施工手順の一例を説明する。先ず、所定位置にビス７を用いて垂直部材２０に第２固定具６を取り付ける。次に、床下地材１に第１固定具５をビス７にて固定する。そして、第１固定具５の先端片５ａを図８にて示した防振材９の隙間９ｓ内にスライド装着した後、第２固定具６の溝部６ｂ内にこれを嵌め込んでなるものである、そして、防振材９の頂部に垂直部材２０に向けてビス７を打ち込んで固定する。その後、床下地材１の上に捨て板２を積層し、その縁部のテ−パ−部２ｂを接触させて仕上げ材３を配置して二重床としたものである。
【実施例４】
【００３３】
以上の例にあって、場合によっては、第１固定具と防振材とは一体のものであってもよく、例えば、緩衝能を備えた硬質のゴム材にて製造されたものであってもよい。この場合には、特に防振材の使用は必要がなくなるというメリットがある。図９は第２実施例における第１固定具５と防振材９とを一体とした例である。
【産業上の利用可能性】
【００３４】
本発明の二重床の端部構造は、第１及び第２の固定具５、６を嵌め込んで床下地材１と垂直部材２０との間を固定するようにしたものであり、二重床の端部と、基盤の垂直部材２０とを固定する構造に等幅広く利用することができる。特に、框との取り合い部、洋室・洗面所・トイレとの出入り口、キッチン・リビングとの出入り口、和室とリビングの出入り口、サッシュ前の取り合い部に優れた効果を発揮することになる。
【００３５】
本発明の代表的な効果を例記する。
１）作業性の向上（木質生材のような変形（狂い）がない固定材のため、位置決めが容易で、大工技能による品質ばらつきが少ない）
２）施エ品質向上（木のヤセや狂いがないため、施工後の床鳴り等の問題発生がない）  ３）床衝撃音性能の向上（防振材を介して連結されることにより、完全に絶縁されているため、従来の全長際ネダに比べ、約１０ｄＢの改善効果が得られる）
【図面の簡単な説明】
【００３６】
【図１】図１は本発明の実施例１を示す主要部の縦断面図である。
【図２】図２は図１の斜視図である。
【図３】図３は図１の平面図である。
【図４】図４は実施例１の第１及び第２固定具の斜視図である。
【図５】図５は本発明の実施例２を示す断面図である。
【図６】図６は各固定具の斜視図である。
【図７】図７は本発明の実施例３を示す断面図である。
【図８】図８は防振材の一例を示す斜視図である。
【図９】図９は第２実施例における第１固定具と防振材との一体例である。
【図１０】図１０は従来の二重床構造を示す縦断面図である。
【図１１】図１１は従来の二重床構造を示す別例の縦断面図である。
【符号の説明】
【００３７】
１‥‥床下地材、
２‥‥捨て板、
２ａ‥捨て板の切り欠き部、
２ｂ‥捨て板のテ−パ−部、
３‥‥仕上げ材、
４‥‥支持脚、
５‥‥第１固定部、
５ａ‥第１固定部の先端片、
６‥‥第２固定部、
６ａ‥第２固定部の係止片、
６ｂ‥溝、
６ｃ‥翼部、
７‥‥固定ビス、
９、９ａ、９ｂ‥防振材、
９ｓ、９ｔ‥防振材の隙間、
９ｃ‥防振材のテ−パ−部、
１１‥抑えアングル、
１０‥基盤、
２０‥垂直部材。
【図１】
2006090035.tif 000003
【図２】
2006090035.tif 000004
【図３】
2006090035.tif 000005
【図４】
2006090035.tif 000006
【図５】
2006090035.tif 000007
【図６】
2006090035.tif 000008
【図７】
2006090035.tif 000009
【図８】
2006090035.tif 000010
【図９】
2006090035.tif 000011
【図１０】
2006090035.tif 000012
【図１１】
2006090035.tif 000013